(57)【要約】【課題】放射線像読取装置において、品質のより高い画像データを取得したり、輝尽発光光の検出や残存放射線エネルギの消去をより効率良く実施する。【解決手段】バーコードリーダ５５によって認識され出力された放射線像変換パネル１０の厚さを示す認識情報信号Ｇに基づいて、間隔変更部６６が放射線像変換パネル１０と結像レンズ３１との間隔を変更する。搬送部５０によって読取ユニット４０を移動させながら、励起光照射部２０からの励起光Ｌｅの照射により放射線像変換パネル１０から発生した輝尽発光光を検出ユニット３０で検出し、この放射線像変換パネル１０に記録された放射線像を表す画像データを取得する。【選択図】          図２
2004198787.tif 000002
【特許請求の範囲】
【請求項１】
励起光を照射する励起光照射手段と、該励起光の照射を受けて放射線像変換パネルから発生した輝尽発光光を集光する集光光学系と、前記集光光学系を通して集光された輝尽発光光を検出し前記放射線像変換パネルに記録された放射線像を表す画像データを取得する検出手段と、前記放射線像変換パネルと前記検出手段との間の前記輝尽発光光の光路中に配置された、前記輝尽発光光を透過させ前記励起光を遮断する励起光カットフィルタと、前記検出手段を前記放射線像変換パネルに対して相対的に移動させる移動手段と、前記放射線像変換パネルの種類を認識する認識手段とを備えた放射線像読取装置であって、
前記認識手段によって認識された前記放射線像変換パネルの種類に応じて、該放射線像変換パネルから取得された前記画像データに対して施す補正の内容を変更して該画像データに対して前記補正を施す補正手段を備えたことを特徴とする放射線像読取装置。
【請求項２】
励起光を照射する励起光照射手段と、該励起光の照射を受けて放射線像変換パネルから発生した輝尽発光光を集光する集光光学系と、前記集光光学系を通して集光された輝尽発光光を検出し前記放射線像変換パネルに記録された放射線像を表す画像データを取得する検出手段と、前記放射線像変換パネルと前記検出手段との間の前記輝尽発光光の光路中に配置された、前記輝尽発光光を透過させ前記励起光を遮断する励起光カットフィルタと、前記検出手段を前記放射線像変換パネルに対して相対的に移動させる移動手段と、前記放射線像変換パネルの種類を認識する認識手段とを備えた放射線像読取装置であって、
透過させる光の波長領域が互いに異なる複数の励起光カットフィルタを有し、前記認識手段によって認識された前記放射線像変換パネルの種類に応じて、前記励起光カットフィルタのうちから前記輝尽発光光の光路中に配置する励起光カットフィルタを選択してこの励起光カットフィルタを前記光路中に配置するフィルタ配置手段を備えたことを特徴とする放射線像読取装置。
【請求項３】
励起光を照射する励起光照射手段と、該励起光の照射を受けて放射線像変換パネルから発生した輝尽発光光を集光する集光光学系と、前記集光光学系を通して集光された輝尽発光光を検出し前記放射線像変換パネルに記録された放射線像を表す画像データを取得する検出手段と、前記放射線像変換パネルと前記検出手段との間の前記輝尽発光光の光路中に配置された、前記輝尽発光光を透過させ前記励起光を遮断する励起光カットフィルタと、前記検出手段を前記放射線像変換パネルに対して相対的に移動させる移動手段と、前記放射線像変換パネルの種類を認識する認識手段とを備えた放射線像読取装置であって、
互いに異なる焦点距離を有する複数の集光光学系を有し、前記認識手段によって認識された前記放射線像変換パネルの種類に応じて、前記集光光学系のうちから前記輝尽発光光を集光させる集光光学系を選択してこの集光光学系を前記輝尽発光光が検出される光路中に配置する光学系配置手段を備えたことを特徴とする放射線像読取装置。
【請求項４】
励起光を照射する励起光照射手段と、該励起光の照射を受けて放射線像変換パネルから発生した輝尽発光光を集光する集光光学系と、前記集光光学系を通して集光された輝尽発光光を検出し前記放射線像変換パネルに記録された放射線像を表す画像データを取得する検出手段と、前記放射線像変換パネルと前記検出手段との間の前記輝尽発光光の光路中に配置された、前記輝尽発光光を透過させ前記励起光を遮断する励起光カットフィルタと、前記検出手段を前記放射線像変換パネルに対して相対的に移動させる移動手段と、前記放射線像変換パネルの種類を認識する認識手段とを備えた放射線像読取装置であって、
前記認識手段によって認識された前記放射線像変換パネルの種類に応じて、前記放射線像変換パネルと前記集光光学系との間隔を変更する間隔変更手段を備えたことを特徴とする放射線像読取装置。
【請求項５】
励起光を照射する励起光照射手段と、該励起光の照射を受けて放射線像変換パネルから発生した輝尽発光光を集光する集光光学系と、前記集光光学系を通して集光された輝尽発光光を検出し前記放射線像変換パネルに記録された放射線像を表す画像データを取得する検出手段と、前記放射線像変換パネルと前記検出手段との間の前記輝尽発光光の光路中に配置された、前記輝尽発光光を透過させ前記励起光を遮断する励起光カットフィルタと、前記検出手段を前記放射線像変換パネルに対して相対的に移動させる移動手段と、前記放射線像変換パネルの種類を認識する認識手段とを備えた放射線像読取装置であって、
前記認識手段によって認識された前記放射線像変換パネルの種類に応じて、前記検出手段が前記輝尽発光光を検出する際の該検出手段の感度を変更する感度変更手段を備えたことを特徴とする放射線像読取装置。
【請求項６】
励起光を照射する励起光照射手段と、該励起光の照射を受けて放射線像変換パネルから発生した輝尽発光光を集光する集光光学系と、前記集光光学系を通して集光された輝尽発光光を検出し前記放射線像変換パネルに記録された放射線像を表す画像データを取得する検出手段と、前記放射線像変換パネルと前記検出手段との間の前記輝尽発光光の光路中に配置された、前記輝尽発光光を透過させ前記励起光を遮断する励起光カットフィルタと、前記検出手段を前記放射線像変換パネルに対して相対的に移動させる移動手段と、前記放射線像変換パネルの種類を認識する認識手段とを備えた放射線像読取装置であって、
前記認識手段によって認識された前記放射線像変換パネルの種類に応じて、前記励起光照射手段から照射される励起光のパワーを変更する励起光パワー変更手段を備えたことを特徴とする放射線像読取装置。
【請求項７】
励起光を照射する励起光照射手段と、該励起光の照射を受けて放射線像変換パネルから発生した輝尽発光光を集光する集光光学系と、前記集光光学系を通して集光された輝尽発光光を検出し前記放射線像変換パネルに記録された放射線像を表す画像データを取得する検出手段と、前記放射線像変換パネルと前記検出手段との間の前記輝尽発光光の光路中に配置された、前記輝尽発光光を透過させ前記励起光を遮断する励起光カットフィルタと、前記検出手段を前記放射線像変換パネルに対して相対的に移動させる移動手段と、前記放射線像変換パネルの種類を認識する認識手段とを備えた放射線像読取装置であって、
前記認識手段によって認識された前記放射線像変換パネルの種類に応じて、前記移動手段が前記検出手段を前記放射線像変換パネルに対して相対的に移動させる際の移動速度を変更する移動速度変更手段を備えたことを特徴とする放射線像読取装置。
【請求項８】
励起光を照射する励起光照射手段と、該励起光の照射を受けて放射線像変換パネルから発生した輝尽発光光を集光する集光光学系と、前記集光光学系を通して集光された輝尽発光光を検出し前記放射線像変換パネルに記録された放射線像を表す画像データを取得する検出手段と、前記放射線像変換パネルと前記検出手段との間の前記輝尽発光光の光路中に配置された、前記輝尽発光光を透過させ前記励起光を遮断する励起光カットフィルタと、前記検出手段を前記放射線像変換パネルに対して相対的に移動させる移動手段と、前記放射線像変換パネルの種類を認識する認識手段とを備えた放射線像読取装置であって、
前記励起光照射手段が複数の励起光光源を有するものであり、前記認識手段によって認識された前記放射線像変換パネルの種類に応じて、前記複数の励起光光源のうちから、前記輝尽発光光を検出する際に点灯する励起光光源を選択する励起光光源選択手段を備えたことを特徴とする放射線像読取装置。
【請求項９】
励起光を照射する励起光照射手段と、該励起光の照射を受けて放射線像変換パネルから発生した輝尽発光光を集光する集光光学系と、前記集光光学系を通して集光された輝尽発光光を検出し前記放射線像変換パネルに記録された放射線像を表す画像データを取得する検出手段と、前記放射線像変換パネルと前記検出手段との間の前記輝尽発光光の光路中に配置された、前記輝尽発光光を透過させ前記励起光を遮断する励起光カットフィルタと、前記検出手段を前記放射線像変換パネルに対して相対的に移動させる移動手段と、前記放射線像変換パネルの種類を認識する認識手段とを備えた放射線像読取装置であって、
前記検出手段が前記輝尽発光光を受光する多数の受光部を有するものであり、前記認識手段によって認識された前記放射線像変換パネルの種類に応じて、前記多数の受光部のうちから、前記輝尽発光光の検出に用いる受光部を選択する受光部選択手段を備えたことを特徴とする放射線像読取装置。
【請求項１０】
励起光を照射する励起光照射手段と、該励起光の照射を受けて放射線像変換パネルから発生した輝尽発光光を集光する集光光学系と、前記集光光学系を通して集光された輝尽発光光を検出し前記放射線像変換パネルに記録された放射線像を表す画像データを取得する検出手段と、前記放射線像変換パネルと前記検出手段との間の前記輝尽発光光の光路中に配置された、前記輝尽発光光を透過させ前記励起光を遮断する励起光カットフィルタと、前記検出手段を前記放射線像変換パネルに対して相対的に移動させる移動手段と、前記放射線像変換パネルの種類を認識する認識手段とを備えた放射線像読取装置であって、
前記認識手段によって認識された前記放射線像変換パネルの種類に応じて、前記移動手段により前記検出手段が前記放射線像変換パネルに対して相対的に移動される際の移動距離を変更する移動距離変更手段を備えたことを特徴とする放射線像読取装置。
【請求項１１】
励起光を照射する励起光照射手段と、該励起光の照射を受けて放射線像変換パネルから発生した輝尽発光光を集光する集光光学系と、前記集光光学系を通して集光された輝尽発光光を検出し前記放射線像変換パネルに記録された放射線像を表す画像データを取得する検出手段と、前記放射線像変換パネルと前記検出手段との間の前記輝尽発光光の光路中に配置された、前記輝尽発光光を透過させ前記励起光を遮断する励起光カットフィルタと、前記検出手段を前記放射線像変換パネルに対して相対的に移動させる移動手段と、前記放射線像変換パネルの種類を認識する認識手段とを備えた放射線像読取装置であって、
前記励起光照射手段が互いに異なる波長の励起光を射出する複数の励起光光源を有するものであり、前記認識手段によって認識された前記放射線像変換パネルの種類に応じて、前記励起光照射手段から照射される励起光の波長が変更されるように、前記複数の励起光光源の中から点灯する励起光光源を選択する励起光波長変更手段を備えたことを特徴とする放射線像読取装置。
【請求項１２】
励起光を照射する励起光照射手段と、該励起光の照射を受けて放射線像変換パネルから発生した輝尽発光光を集光する集光光学系と、前記集光光学系を通して集光された輝尽発光光を検出し前記放射線像変換パネルに記録された放射線像を表す画像データを取得する検出手段と、前記放射線像変換パネルと前記検出手段との間の前記輝尽発光光の光路中に配置された、前記輝尽発光光を透過させ前記励起光を遮断する励起光カットフィルタと、前記検出手段を前記放射線像変換パネルに対して相対的に移動させる移動手段と、消去光を前記放射線像変換パネルに照射して該放射線像変換パネルに残存する放射線エネルギを消去する消去手段と、前記放射線像変換パネルの種類を認識する認識手段とを備えた放射線像読取装置であって、
前記認識手段によって認識された前記放射線像変換パネルの種類に応じて、前記消去手段から照射される消去光の波長を変更する消去光波長変更手段を備えたことを特徴とする放射線像読取装置。
【請求項１３】
励起光を照射する励起光照射手段と、該励起光の照射を受けて放射線像変換パネルから発生した輝尽発光光を集光する集光光学系と、前記集光光学系を通して集光された輝尽発光光を検出し前記放射線像変換パネルに記録された放射線像を表す画像データを取得する検出手段と、前記放射線像変換パネルと前記検出手段との間の前記輝尽発光光の光路中に配置された、前記輝尽発光光を透過させ前記励起光を遮断する励起光カットフィルタと、前記検出手段を前記放射線像変換パネルに対して相対的に移動させる移動手段と、消去光を前記放射線像変換パネルに照射して該放射線像変換パネルに残存する放射線エネルギを消去する消去手段と、前記放射線像変換パネルの種類を認識する認識手段とを備えた放射線像読取装置であって、
前記認識手段によって認識された前記放射線像変換パネルの種類に応じて、前記消去手段から照射される消去光のパワーを変更する消去光パワー変更手段を備えたことを特徴とする放射線像読取装置。
【発明の詳細な説明】
【０００１】
【発明の属する技術分野】
本発明は、励起光の照射を受けて放射線像変換パネルから発生した輝尽発光光を検出してこの放射線像変換パネルに記録された放射線像を表す画像データを取得する放射線像読取装置に関するものである。
【０００２】
【従来の技術】
従来より、Ｘ線等の放射線を照射するとこの放射線エネルギの一部を蓄積し、その後、可視光等の励起光を照射するとこの蓄積された放射線エネルギに応じて輝尽発光を示す蓄積性蛍光体（輝尽性蛍光体）を利用して、人体等の被写体の放射線像を蓄積性蛍光体層に一旦潜像として記録し、この蓄積性蛍光体層にレーザ光等の励起光を照射して輝尽発光光を生じせしめ、この輝尽発光光を光電的に検出して被写体の放射線像を表す画像データを取得する放射線像記録装置および放射線像読取装置等からなる放射線像記録再生システムがＣＲ（ＣｏｍｐｕｔｅｄＲａｄｉｏｇｒａｐｈｙ）としてが知られている。
【０００３】
この放射線像記録再生システムに使用される記録媒体としては、支持基板上に蓄積性蛍光体層を積層して作成した放射線像変換パネルが知られている。上記放射線像変換パネルに被写体を通った放射線を照射してこの放射線像変換パネルに上記被写体の放射線像が記録され、その後、励起光の照射により上記放射線像変換パネルから発生した輝尽発光光を検出してこの放射線像変換パネルに記録された上記被写体の放射線像を表す画像データが取得される。上記のようにして被写体の放射線像を表す画像データが取得された放射線像変換パネルは、消去光の照射によりこの放射線像変換パネルに残存する放射線エネルギが放出されることにより再び放射線像の記録が可能となるので、この放射線像変換パネルは上記被写体を表す放射線像の記録および再生に繰り返し使用することができる。
【０００４】
【発明が解決しようとする課題】
ところで、上記放射線像変換パネルには様々な種類があり、例えば、パネル面のサイズ、パネルの厚さ、パネル表面の平面性等が異なるもの、または、励起光と、この励起光の照射を受けて放射線像変換パネルから発生する輝尽発光光の光強度やスペクトル分布やパネル面上における輝尽発光光の発光強度分布との関係（以後、励起特性という）が異なるもの、あるいは、放射線の照射量と、この放射線の照射を受けて放射線像変換パネルに蓄積される放射線エネルギの大きさとの関係（以後、放射線に対する感度という）が異なるもの、さらに、消去光の照射光量やスペクトル分布と、この消去光の照射を受けて放射線像変換パネルから放出される放射線エネルギの放出量との関係（以後、消去特性という）が異なるもの等がある。そのため、上記放射線像変換パネルの種類に応じたより好ましい態様でこの放射線像変換パネルから輝尽発光光を検出して上記放射線像を表す画像データをより高い品質で取得したり、あるいは上記放射線像変換パネルの種類に応じたよりエネルギ消費の少ない態様で上記輝尽発光光の検出や放射線像変換パネルに残存する放射線エネルギである残存放射線エネルギの消去を実行したいという要請がある。
【０００５】
本発明は、上記事情に鑑みてなされたものであり、本発明の第１の目的は、被写体の放射線像を表す品質のより高い画像データを取得することができる放射線像読取装置を提供することを目的とするものであり、本発明の第２の目的は、輝尽発光光の検出や残存放射線エネルギの消去をより効率良く実施することができる放射線像読取装置を提供することを目的とするものである。
【０００６】
【課題を解決するための手段】
本発明の放射線像読取装置は、この放射線像読取装置の共通の要素として、励起光を照射する励起光照射手段と、この励起光の照射を受けて放射線像変換パネルから発生した輝尽発光光を集光する集光光学系と、この集光光学系を通して集光された輝尽発光光を検出し放射線像変換パネルに記録された放射線像を表す画像データを取得する検出手段と、放射線像変換パネルと検出手段との間の輝尽発光光の光路中に配置された、この輝尽発光光を透過させ励起光を遮断する励起光カットフィルタと、検出手段を放射線像変換パネルに対して相対的に移動させる移動手段と、放射線像変換パネルの種類を認識する認識手段とを備えている。
【０００７】
本発明の第１の放射線像読取装置は、前記共通の要素を備え、前記認識手段によって認識された放射線像変換パネルの種類に応じて、この放射線像変換パネルから取得された前記画像データに対して施す補正の内容を変更してこの画像データに対して前記補正を施す補正手段を備えたことを特徴とするものである。
【０００８】
前記補正手段によって実施される補正としては、例えば、シェーディング補正、集光ムラ補正、または鮮鋭度補正等を挙げることができる。なお、上記集光ムラは、集光光学系の設計上あるいは製作上の都合によって生じる、輝尽発光光を集光させたときの光強度の位置によるムラである。
【０００９】
本発明の第２の放射線像読取装置は、前記共通の要素を備え、透過させる光の波長領域が互いに異なる複数の励起光カットフィルタを有し、前記認識手段によって認識された放射線像変換パネルの種類に応じて、前記励起光カットフィルタのうちから前記輝尽発光光の光路中に配置する励起光カットフィルタを選択してこの励起光カットフィルタを前記光路中に配置するフィルタ配置手段を備えたことを特徴とするものである。
【００１０】
本発明の第３の放射線像読取装置は、前記共通の要素を備え、互いに異なる焦点距離を有する複数の集光光学系を有し、前記認識手段によって認識された放射線像変換パネルの種類に応じて、前記集光光学系のうちから前記輝尽発光光を集光させる集光光学系を選択してこの集光光学系を前記輝尽発光光が検出される光路中に配置する光学系配置手段を備えたことを特徴とするものである。
【００１１】
本発明の第４の放射線像読取装置は、前記共通の要素を備え、前記認識手段によって認識された放射線像変換パネルの種類に応じて、この放射線像変換パネルと前記集光光学系との間隔を変更する間隔変更手段を備えたことを特徴とするものである。
【００１２】
前記間隔変更手段は、放射線像変換パネルの位置のみを変更して放射線像変換パネルと集光光学系との間隔を変更するものであってもよいし、放射線像変換パネルの位置を変更することなく集光光学系の位置を変更して放射線像変換パネルと集光光学系との間隔を変更するものであってもよいし、あるいは、放射線像変換パネルと集光光学系の両方の位置を変更して放射線像変換パネルと集光光学系との間隔を変更するものであってもよい。また、前記間隔の変更は段階的な変更であってもよいし、連続的な変更であってもよい。
【００１３】
本発明の第５の放射線像読取装置は、前記共通の要素を備え、前記認識手段によって認識された放射線像変換パネルの種類に応じて、前記検出手段が前記輝尽発光光を検出する際のこの検出手段の感度を変更させる感度変更手段を備えたことを特徴とするものである。
【００１４】
例えば、前記検出手段がＣＣＤ素子からなるものである場合には、感度変更手段は、上記ＣＣＤ素子においてビニングする画素数の変更によって前記感度の変更を行なうものとすることができる。また、例えば、前記検出手段が前記画像データをＡ／Ｄ変換して取得するものである場合には、感度変更手段は、このＡ／Ｄ変換のゲインの変更によって前記感度の変更を行なうものとすることができる。さらに、例えば、前記検出手段が前記輝尽発光光を光電変換して検出するものである場合には、感度変更手段は、上記光電変換する際の電荷蓄積時間の変更によって前記感度を変更するものとすることができる。
【００１５】
本発明の第６の放射線像読取装置は、前記共通の要素を備え、前記認識手段によって認識された放射線像変換パネルの種類に応じて、前記励起光照射手段から照射される励起光のパワーを変更させる励起光パワー変更手段を備えたことを特徴とするものである。
【００１６】
本発明の第７の放射線像読取装置は、前記共通の要素を備え、前記認識手段によって認識された放射線像変換パネルの種類に応じて、前記移動手段が前記検出手段を放射線像変換パネルに対して相対的に移動させる際の移動速度を変更する移動速度変更手段を備えたことを特徴とするものである。
【００１７】
本発明の第８の放射線像読取装置は、前記共通の要素を備え、前記励起光照射手段が複数の励起光光源を有するものであり、前記認識手段によって認識された放射線像変換パネルの種類に応じて、前記複数の励起光光源のうちから、前記輝尽発光光を検出する際に点灯する励起光光源を選択する励起光光源選択手段を備えたことを特徴とするものである。
【００１８】
本発明の第９の放射線像読取装置は、前記共通の要素を備え、前記検出手段が前記輝尽発光光を受光する多数の受光部を有するものであり、前記認識手段によって認識された放射線像変換パネルの種類に応じて、前記多数の受光部のうちから、前記輝尽発光光の検出に用いる受光部を選択する受光部選択手段を備えたことを特徴とするものである。
【００１９】
本発明の第１０の放射線像読取装置は、前記共通の要素を備え、前記認識手段によって認識された放射線像変換パネルの種類に応じて、前記移動手段により前記検出手段が前記放射線像変換パネルに対して相対的に移動される際の移動距離を変更する移動距離変更手段を備えたことを特徴とするものである。
【００２０】
本発明の第１１の放射線像読取装置は、前記共通の要素を備え、前記励起光照射手段が互いに異なる波長の励起光を射出する複数の励起光光源を有するものであり、前記認識手段によって認識された放射線像変換パネルの種類に応じて、前記励起光照射手段から照射される励起光の波長が変更されるように、前記複数の励起光光源の中から点灯する励起光光源を選択する励起光波長変更手段を備えたことを特徴とするものである。
【００２１】
本発明の第１２の放射線像読取装置は、前記共通の要素と、消去光を放射線像変換パネルに照射してこの放射線像変換パネルに残存する放射線エネルギを消去する消去手段とを備え、前記認識手段によって認識された放射線像変換パネルの種類に応じて、前記消去手段から照射される消去光の波長を変更する消去光波長変更手段を備えたことを特徴とするものである。
【００２２】
本発明の第１３の放射線像読取装置は、前記共通の要素と、消去光を放射線像変換パネルに照射してこの放射線像変換パネルに残存する放射線エネルギを消去する消去手段とを備え、前記認識手段によって認識された放射線像変換パネルの種類に応じて、前記消去手段から照射される消去光のパワーを変更する消去光パワー変更手段を備えたことを特徴とするものである。
【００２３】
前記移動手段は、放射線像変換パネルのみを移動させるものであってもよいし、検出手段のみを移動させるものであってもよいし、あるいは、放射線像変換パネルと検出手段の両方を移動させるものであってもよい。
【００２４】
【発明の効果】
本発明の第１の放射線像読取装置は、認識手段によって認識された放射線像変換パネルの種類に応じて、この放射線像変換パネルから取得された画像データに対して施す補正の内容を変更してこの画像データに対して上記補正を施す補正手段を備えているので、画像データに対してより適切な補正を施すことができ、被写体の放射線像を表す品質のより高い画像データを取得することができる。
【００２５】
例えば、上記認識手段が放射線像変換パネルの種類によって、この放射線像変換パネルの表面の平面性、励起特性、あるいは放射線に対する感度等を認識するものである場合には、補正手段は、上記認識された情報に基づいて、画像データに対して施すシェーディング補正に用いるデータを変更したり、または集光ムラ補正に用いるデータを変更したり、あるいは鮮鋭度補正に用いるデータを変更したりして、放射線像を表す品質のより高い画像データを取得することができる。
【００２６】
本発明の第２の放射線像読取装置は、透過させる光の波長領域が互いに異なる複数の励起光カットフィルタを有し、認識手段によって認識された放射線像変換パネルの種類に応じて、上記励起光カットフィルタのうちから輝尽発光光が検出される光路中に配置する励起光カットフィルタを選択してこの励起光カットフィルタを上記光路中に配置するフィルタ配置手段を備えているので、上記励起光カットフィルタの変更により、励起光カットフィルタを透過する輝尽発光光の透過光量に対する励起光の透過光量の割合を減少させることができ、上記検出によって取得される画像データのＳ／Ｎを向上させることができ、被写体の放射線像を表す品質のより高い画像データを取得することができる。
【００２７】
本発明の第３の放射線像読取装置は、互いに異なる焦点距離を有する複数の集光光学系を有し、認識手段によって認識された放射線像変換パネルの種類に応じて、上記集光光学系のうちから輝尽発光光を集光させる集光光学系を選択してこの集光光学系を輝尽発光光が検出される光路中に配置する光学系配置手段を備えているので、放射線像変換パネルから発生する輝尽発光光をより正確に検出手段に導くことができ、上記検出によって取得される画像データに混入するノイズの量を低減させることができるので、被写体の放射線像を表す品質のより高い画像データを取得することができる。
【００２８】
例えば、認識手段が、放射線像変換パネルの種類から、この放射線像変換パネルの厚さを認識するものである場合には、光学系配置手段は、上記厚さを示す情報に基づいて、集光光学系のうちから輝尽発光光が検出される光路中に配置する集光光学系を定めることができ、放射線像変換パネルから発生する輝尽発光光をより正確に検出手段に導くようにすることができるので、被写体の放射線像を表す品質のより高い画像データをより確実に取得することができる。
【００２９】
本発明の第４の放射線像読取装置は、認識手段によって認識された放射線像変換パネルの種類に応じて、この放射線像変換パネルと集光光学系との間隔を変更する間隔変更手段を備えているので、放射線像変換パネルから発生する輝尽発光光をより正確に検出手段に導くことができ、上記検出によって取得される画像データに混入するノイズの量を低減させることができ、被写体の放射線像を表す品質のより高い画像データを取得することができる。
【００３０】
例えば、認識手段が、放射線像変換パネルの種類から、この放射線像変換パネルの厚さを認識するものである場合には、間隔変更手段は、上記厚さを示す情報に基づいて、放射線像変換パネルから発生する輝尽発光光がより正確に検出手段に導かれるように放射線像変換パネルと集光光学系との間隔を変更することができ、被写体の放射線像を表す品質のより高い画像データをより確実に取得することができる。
【００３１】
本発明の第５の放射線像読取装置は、認識手段によって認識された放射線像変換パネルの種類に応じて、検出手段が輝尽発光光を検出する際のこの検出手段の感度を変更させる感度変更手段を備えているので、上記検出手段の検出におけるダイナミックレンジを有効に利用して輝尽発光光を検出することができ、上記検出によって取得される画像データのＳ／Ｎを向上させることができ、被写体の放射線像を表す品質のより高い画像データを取得することができる。
【００３２】
例えば、検出手段がＣＣＤ素子からなるものである場合には、感度変更手段は、上記ＣＣＤ素子においてビニングする画素数の変更によって感度の変更を行なうことにより、上記検出手段の検出におけるダイナミックレンジを有効に利用して輝尽発光光を検出することができる。また、例えば、検出手段が画像データをＡ／Ｄ変換して取得するものである場合には、感度変更手段は、このＡ／Ｄ変換のゲインの変更によって感度の変更を行なうことにより、上記検出手段の検出におけるダイナミックレンジを有効に利用して輝尽発光光を検出することができる。さらに、例えば、検出手段が輝尽発光光を光電変換して検出するものである場合には、感度変更手段は、上記光電変換する際の電荷蓄積時間の変更によって前記感度を変更することにより、上記検出手段の検出におけるダイナミックレンジを有効に利用して輝尽発光光を検出することができる。
【００３３】
本発明の第６の放射線像読取装置は、認識手段によって認識された放射線像変換パネルの種類に応じて、励起光照射手段から照射される励起光のパワーを変更させる励起光パワー変更手段を備えているので、上記検出手段の検出におけるダイナミックレンジを有効に利用して輝尽発光光を検出するように設定することができ、上記検出によって取得される画像データのＳ／Ｎを向上させることができるので、被写体の放射線像を表す品質のより高い画像データを取得することができる。
【００３４】
本発明の第７の放射線像読取装置は、認識手段によって認識された放射線像変換パネルの種類に応じて、前記移動手段が前記検出手段を放射線像変換パネルに対して相対的に移動させる際の移動速度を変更する移動速度変更手段を備えているので、放射線像変換パネルから発生させる輝尽発光光の単位面積・単位時間当りの光量を、上記検出手段の検出におけるダイナミックレンジを有効に利用してこの輝尽発光光を検出するように設定することができ、上記検出によって取得される画像データのＳ／Ｎを向上させることができる。これにより、被写体の放射線像を表す品質のより高い画像データを取得することができる。
【００３５】
本発明の第８の放射線像読取装置は、励起光照射手段が複数の励起光光源を有するものであり、認識手段によって認識された放射線像変換パネルの種類に応じて、複数の励起光光源のうちから、輝尽発光光を検出する際に点灯する励起光光源を選択する励起光光源選択手段を備えているので、放射線像変換パネルに励起光を照射する領域を変更することができ、例えば、認識手段が放射線像変換パネルのサイズを認識するものとすれば、励起光を照射する必要のある位置のみに励起光が照射されるように、複数の励起光光源の中から、点灯させる励起光光源を選択することができ、励起光光源を点灯させる際のエネルギの無駄な消費を抑制することができる。これにより、輝尽発光光の検出をより効率良く実施することができる。
【００３６】
本発明の第９の放射線像読取装置は、検出手段が輝尽発光光を受光する多数の受光部を有するものであり、認識手段によって認識された放射線像変換パネルの種類に応じて、上記多数の受光部の中から、輝尽発光光の検出に用いる受光部を選択する受光部選択手段を備えているので、励起光の照射により放射線像変換パネルから発生する輝尽発光光を受光する際に必要な受光部のみをこの輝尽発光光の検出に用いる受光部として選択することができ、例えば、認識手段が放射線像変換パネルのサイズを認識するものとすれば、この放射線像変換パネルのサイズに応じて輝尽発光光の検出に使用する受光部を選択することができ、上記輝尽発光光の受光に不要な受光部は駆動しないようにすることにより、輝尽発光光を検出する際のエネルギの無駄な消費を抑制することができる。これにより、輝尽発光光の検出をより効率良く実施することができる。
【００３７】
本発明の第１０の放射線像読取装置は、認識手段によって認識された放射線像変換パネルの種類に応じて、移動手段により検出手段が放射線像変換パネルに対して相対的に移動される際の移動距離を変更する移動距離変更手段を備えているので、例えば、認識手段が放射線像変換パネルのサイズを認識するものとすれば、検出手段が放射線像変換パネルに対して相対的に移動される際の移動距離を必要最小限の距離に留めることができ、輝尽発光光を検出する際のエネルギの無駄な消費を抑制することができる。これにより、輝尽発光光の検出をより効率良く実施することができる。
【００３８】
本発明の第１１の放射線像読取装置は、励起光照射手段が互いに異なる波長の励起光を射出する複数の励起光光源を有するものであり、認識手段によって認識された放射線像変換パネルの種類に応じて、励起光照射手段から照射される励起光の波長が変更されるように、複数の励起光光源の中から点灯する励起光光源を選択する励起光波長変更手段を備えているので、例えば、認識手段が、放射線像変換パネルから励起特性を認識するものである場合には、この認識された情報に応じて励起光照射手段から照射される励起光の波長を変更することにより、放射線像変換パネルからより強度の高い輝尽発光光を発生させることができ、上記検出手段の検出におけるダイナミックレンジを有効に利用してこの輝尽発光光を検出することができる。これにより、上記検出によって取得される画像データに混入するノイズの量が低減され、被写体の放射線像を表す品質のより高い画像データを取得することができる。
【００３９】
本発明の第１２の放射線像読取装置は、認識手段によって認識された放射線像変換パネルの種類に応じて、消去手段から照射される消去光の波長を変更する消去光波長変更手段を備えているので、例えば、認識手段が、放射線像変換パネルの消去特性を認識するものである場合には、この認識された情報に基づいて、上記消去光を放射線像変換パネルに照射することにより、消去光の照射を受けて放射線像変換パネルに生じるいわゆるカブリの発生を抑制することができ、上記放射線像変換パネルを利用した次回の放射線像の取得の際に画像データに混入するるノイズの量を低減させることができる。これにより、被写体の放射線像を表す品質のより高い画像データを取得することができる。
【００４０】
本発明の第１３の放射線像読取装置は、認識手段によって認識された放射線像変換パネルの種類に応じて、消去手段から照射される消去光のパワーを変更する消去光パワー変更手段を備えているので、例えば、認識手段が、放射線像変換パネルの消去特性を認識するものである場合には、この認識情報に基づいて、放射線像変換パネルに照射する消去光のパワーを、この放射線像変換パネルに残存する放射線エネルギの消去光の光量を必要最小限の光量となるように設定することができ、放射線像変換パネルに消去光を照射する際のエネルギの無駄な消費を抑制することができるので、残存放射線エネルギの消去をより効率良く実施することができる。
【００４１】
【発明の実施の形態】
以下、本発明の実施の形態について、図面を用いて説明する。図１は本発明の実施の形態による放射線像読取装置の主要部の概略構成を示す斜視図、図２は読取ユニット等を示す拡大側面図である。
【００４２】
本発明の放射線像読取装置１００は、放射線像変換パネル１０に対して励起光Ｌｅを照射する励起光照射手段である励起光照射部２０と、励起光Ｌｅの照射を受けて放射線像変換パネル１０から発生した輝尽発光光を集光する集光光学系である結像レンズ３１と、この結像レンズ３１を通して集光された輝尽発光光を検出し放射線像変換パネル１０に記録された放射線像を表す画像データを取得する検出手段であるラインセンサ３２と、放射線像変換パネル１０とラインセンサ３２との間の上記輝尽発光光の光路中に配置された、この輝尽発光光を透過させ励起光を遮断する励起光カットフィルタ３３と、ラインセンサ３２を放射線像変換パネル１０に対して相対的に移動させる移動手段である搬送部５０と、消去光を放射線像変換パネル１０に照射してこの放射線像変換パネルに残存する放射線エネルギを消去する消去手段である消去部４５と、放射線像変換パネル１０の種類をこの放射線像変換パネル１０の側面に印刷されたバーコード１１で認識し、この認識した情報を示す認識情報信号Ｇを出力する認識手段であるバーコードリーダ５５とを備えている。
【００４３】
ラインセンサ３２は、上記結像レンズ３１を通して入射した輝尽発光光を光電変換する多数の受光部３２Ａを有するＣＣＤ素子と、受光部３２Ａで光電変換された信号を増幅しＡ／Ｄ変換してデジタル値からなる画像データとして出力する読出部３２Ｂとを有している。
【００４４】
励起光照射部２０は、励起光Ｌｅを射出する複数の半導体レーザが主走査方向（図中矢印Ｘ方向、以後、主走査Ｘ方向という）に並べられた励起光光源であるＬＤ光源２１、およびＬＤ光源２１から射出された励起光Ｌｅを放射線像変換パネル１０上の主走査Ｘ方向に延びる線状領域Ｓに集光させるシリンドリカルレンズ２２等からなる。なお、ＬＤ光源２１は互いに異なる波長の励起光を射出する複数のＬＤ光源からなるものである。
【００４５】
検出ユニット３０は、主走査Ｘ方向に並べられた多数の屈折率分布型レンズからなる上記結像レンズ３１、主走査Ｘ方向に延びる上記励起光カットフィルタ３３、および主走査Ｘ方向に並べられた多数の受光部３２Ａ等からなる上記ラインセンサ３２を有し、上記各要素が、放射線像変換パネル１０に向けてこの順に並べられて構成されている。
【００４６】
消去部４５は、複数の消去光光源４５Ａを有している。
【００４７】
励起光照射部２０と検出ユニット３０と消去部４５とは一体化されて読取ユニット４０を構成しており、この一体化された読取ユニット４０は、搬送部５０によって上記主走査Ｘ方向と交わる副走査方向（図中矢印Ｙ方向、以後、副走査Ｙ方向という）に一定の速度で搬送される。
【００４８】
この放射線像読取装置１００は、その他に、以下の１３の要素を備えている。
【００４９】
バーコードリーダ５５によって認識された放射線像変換パネルの種類に応じて、すなわち、放射線像変換パネル１０のバーコード１１をバーコードリーダ５５で読み取って出力された認識情報信号Ｇが示す情報（ここでは、放射線像変換パネル１０の励起特性およびパネル表面の平面性）を入力し、この情報に応じて、この放射線像変換パネル１０から取得された画像データに対して補正を施す際に使用する補正用データを変更して、上記画像データに対して補正を施す補正手段である補正部６０。
【００５０】
透過させる光の波長領域が互いに異なる複数の励起光カットフィルタ３３Ａおよび３３Ｂを有し、バーコードリーダ５５によって認識された放射線像変換パネルの種類に応じて、すなわち、バーコードリーダ５５から入力した認識情報信号Ｇが示す情報（ここでは、放射線像変換パネル１０の励起特性）に応じて、励起光カットフィルタ３３Ａおよび３３Ｂのうちから輝尽発光光の光路中に配置する励起光カットフィルタを選択してこの励起光カットフィルタを上記光路中の励起光カットフィルタ３３の位置に配置するフィルタ配置手段であるフィルタ配置部６２。
【００５１】
互いに異なる焦点距離を有する複数の結像レンズ３１Ａ，および結像レンズ３１Ｂを有し、バーコードリーダ５５から入力した認識情報信号Ｇが示す情報（ここでは、放射線像変換パネル１０の厚さ）に応じて、上記結像レンズ３１Ａ，および結像レンズ３１Ｂのうちから輝尽発光光を集光させる集光光学系を選択してこの集光光学系を前記輝尽発光光が検出される光路中に配置する光学系配置手段である光学系配置部６４。
【００５２】
バーコードリーダ５５から入力した認識情報信号Ｇが示す情報（ここでは、放射線像変換パネル１０の厚さ）に応じて、この放射線像変換パネル１０と結像レンズ３１との間隔、すなわち放射線像変換パネル１０と読取ユニット４０との間隔を変更する間隔変更手段である間隔変更部６６。
【００５３】
バーコードリーダ５５から入力した認識情報信号Ｇが示す情報（ここでは、放射線像変換パネル１０の励起特性および放射線に対する感度）に応じて、ラインセンサ３２が輝尽発光光を検出する際のこのラインセンサ３２の感度を変更させる感度変更手段である感度変更部６８。
【００５４】
バーコードリーダ５５から入力した認識情報信号Ｇが示す情報（ここでは、放射線像変換パネル１０の励起特性および放射線に対する感度）に応じて、励起光照射部２０から照射される励起光のパワーを変更させる励起光パワー変更手段である励起光パワー変更部７０。
【００５５】
バーコードリーダ５５から入力した認識情報信号Ｇが示す情報（ここでは、放射線像変換パネル１０の励起特性および放射線に対する感度）に応じて、搬送部５０がラインセンサ３２、すなわち読取ユニット４０を放射線像変換パネル１０に対して移動させる際の移動速度を変更する移動速度変更手段である移動速度変更部７２。
【００５６】
バーコードリーダ５５から入力した認識情報信号Ｇが示す情報（ここでは、放射線像変換パネル１０のパネル面のサイズ）に応じて、複数のＬＤ光源２１のうちから、輝尽発光光を検出する際に点灯するＬＤ光源を選択するＬＤ光源選択手段である励起光光源選択部７４。
【００５７】
バーコードリーダ５５から入力した認識情報信号Ｇが示す情報（ここでは、放射線像変換パネル１０のパネル面のサイズ）に応じて、ラインセンサ３２中の多数の受光部３２Ａのうちから、輝尽発光光の検出に用いる受光部を選択する受光部選択手段である受光部選択部７６。
【００５８】
バーコードリーダ５５から入力した認識情報信号Ｇが示す情報（ここでは、放射線像変換パネル１０のパネル面のサイズ）に応じて、搬送部５０によりラインセンサ３２、すなわち読取ユニット４０が放射線像変換パネル１０に対して移動される際の移動距離を変更する移動距離変更手段である移動距離変更部７８。
【００５９】
バーコードリーダ５５から入力した認識情報信号Ｇが示す情報（ここでは、放射線像変換パネル１０の励起特性）に応じて、励起光照射部２０から照射される励起光の波長が変更されるように、複数のＬＤ光源２１の中から点灯するＬＤ光源を選択する励起光波長変更手段８０。
【００６０】
バーコードリーダ５５から入力した認識情報信号Ｇが示す情報（ここでは、放射線像変換パネル１０の消去特性）に応じて、消去部４５から照射される消去光の波長を変更する消去光波長変更手段である消去光波長変更部８２。
【００６１】
バーコードリーダ５５から入力した認識情報信号Ｇが示す情報（ここでは、放射線像変換パネル１０の消去特性）に応じて、消去部４５から照射される消去光のパワーを変更する消去光パワー変更手段である消去光パワー変更部８４。
【００６２】
以上１３の要素が放射線像読取装置１００に備えられている。
【００６３】
上記感度変更部６８は、例えば、ラインセンサ３２の受光部３２Ａにおいてビニングする画素数を変更させて感度の変更を行なうものとしたり、ラインセンサ３２の読出部３２ＢのＡ／Ｄ変換のゲインを変更させて感度の変更を行なうものとしたり、さらに、例えば、ラインセンサ３２の受光部３２Ａにおける電荷蓄積時間を変更させて感度の変更を行なうものとすることができる。
【００６４】
上記励起光パワー変更部７０は、例えば、ＬＤ光源２１のパワーを変更して励起光のパワーを変更するものとしたり、あるいは、透過率が互いに異なる複数のＮＤフィルタを用意し、複数のＮＤフィルタのうちから励起光照射部２０から放射線像変換パネル１０に向けて励起光が照射される光路中に配置するＮＤフィルタを選択してこのＮＤフィルタを上記励起光の光路中に配置して励起光のパワーを変更するものとすることができる。
【００６５】
上記消去光波長変更部８２は、例えば、消去部４５が、互いに異なる２種類以上の波長の消去光を照射する複数の消去光光源４５Ａを備えるようにして、これらの消去光光源４５Ａの中から特定の波長の消去光を照射する消去光光源を選択して消去光の波長を変更するものとすることができる。また、上記消去光波長変更部８２は、透過させる光の波長領域が互いに異なる複数の消去用フィルタ４６Ａ、および４６Ｂを備えるようにして、消去用フィルタ４６Ａ、および４６Ｂのうちから放射線像変換パネルに消去光が照射される光路中に配置する消去用フィルタを選択しこのフィルタを上記光路中に配置して消去光の波長を変更するものとすることもできる。
【００６６】
次に上記実施の形態における作用について説明する。
【００６７】
励起光照射部２０から射出された励起光Ｌｅは放射線像変換パネル１０上の線状領域Ｓに集光される。励起光Ｌｅの照射によって線状領域Ｓから発生した輝尽発光光は結像レンズ３１および励起光カットフィルタ３３を通してラインセンサ３２の受光部３２Ａ上に結像され、この結像された輝尽発光光が受光部３２Ａで光電変換される。
【００６８】
上記励起光照射部２０による励起光Ｌｅの照射と検出ユニット３０による輝尽発光光の検出を実行しながら、励起光照射部２０と検出ユニット３０と消去部４５とを一体化してなる上記読取ユニット４０が搬送部５０によって副走査Ｙ方向へ搬送されて、放射線像変換パネル１０から発生した輝尽発光光が受光部３２Ａで光電変換され、さらに読出部３２Ｂでデジタル値からなる画像データに変換されて出力される。
【００６９】
放射線像変換パネル１０に記録された放射線像を表す画像データが読み取られた後、消去部４５が点灯され、読取ユニット４０が上記搬送部５０によって上記搬送方向とは反対方向へ搬送され、この放射線像変換パネル１０に残存する残存放射線エネルギが消去される。
【００７０】
ここで、補正部６０は、上記認識情報信号Ｇが示す情報に基づいて、上記取得された画像データに対して施すシェーディング補正の補正用データを変更したり、または集光ムラ補正の補正用データを変更したり、あるいは鮮鋭度補正の補正用データを変更したりして、画像データに対して、より適切な補正を施す。
【００７１】
フィルタ配置部６２は、上記認識情報信号Ｇが示す情報に基づいて適切な励起光カットフィルタを配置することにより、輝尽発光光の透過光量を増大させ、励起光の透過光量を低減して、上記検出によって取得される画像データのＳ／Ｎを向上させる。
【００７２】
光学系配置部６４は、上記認識情報信号Ｇが示す情報に基づいて適切な集光光学系を配置することにより、放射線像変換パネルから発生する輝尽発光光をより正確にラインセンサ３２に導くようにして、上記検出によって取得される画像データに混入するノイズの量を低減させる。
【００７３】
間隔変更部６６は、上記認識情報信号Ｇが示す情報に基づいて放射線像変換パネル１０と結像レンズ３１との間隔を適切な間隔にすることにより、放射線像変換パネル１０から発生する輝尽発光光をより正確にラインセンサ３２に導くようにして、上記検出によって取得される画像データに混入するノイズの量を低減させる。
【００７４】
感度変更部６８は、上記認識情報信号Ｇが示す情報に基づいて、ラインセンサ３２が輝尽発光光を検出する際のこのラインセンサ３２の感度を変更させることにより、上記ラインセンサ３２の検出におけるダイナミックレンジを有効に利用して輝尽発光光が検出されるようにし、上記検出によって取得される画像データに混入するノイズの量を低減させる。
【００７５】
励起光パワー変更部７０は、上記認識情報信号Ｇが示す情報に基づいて、励起光照射部２０から照射される励起光のパワーを変更させることにより、上記ラインセンサ３２の検出におけるダイナミックレンジを有効に利用して輝尽発光光が検出されるようにし、上記検出によって取得される画像データに混入するノイズの量を低減させる。
【００７６】
移動速度変更部７２は、上記認識情報信号Ｇが示す情報に基づいて、搬送部５０が読取ユニット４０を放射線像変換パネル１０に対して移動させる際の移動速度を変更して、放射線像変換パネルから発生させる輝尽発光光の単位面積・単位時間当りの光量を、上記ラインセンサ３２の検出におけるダイナミックレンジを有効に利用してこの輝尽発光光が検出されるように設定し、上記検出によって取得される画像データに混入するノイズの量を低減させる。
【００７７】
励起光光源選択部７４は、上記認識情報信号Ｇが示す情報に基づいて、励起光を照射する必要のある位置のみに励起光が照射されるように、複数のＬＤ光源２１のうちから点灯するＬＤ光源を選択してこれらのＬＤ光源を点灯させ、ＬＤ光源２１を点灯する際のエネルギの無駄な消費を抑制する。
【００７８】
受光部選択部７６は、上記認識情報信号Ｇが示す情報に基づいて、多数の受光部３２Ａのうちから、励起光の照射により放射線像変換パネルから発生する輝尽発光光を受光する際に必要な受光部のみを選択して、これらの受光部を輝尽発光光の検出に用いるようにし、上記輝尽発光光の検出に不要な受光部は駆動しないようにすることにより、輝尽発光光を検出する際のエネルギの無駄な消費を抑制する。
【００７９】
移動距離変更部７８は、上記認識情報信号Ｇが示す情報に基づいて、搬送部５０により読取ユニット４０を放射線像変換パネルに対して移動させる際の移動距離を上記輝尽発光光の検出に必要な最小限の距離に留めるようにし、輝尽発光光を検出する際のエネルギの無駄な消費を抑制する。
【００８０】
励起光波長変更部８０、上記認識情報信号Ｇが示す情報に基づいて、励起光照射部２０から照射される励起光の波長を放射線像変換パネルからより強度の高い輝尽発光光を発生させるように変更し、ラインセンサ３２の検出におけるダイナミックレンジを有効に利用してこの輝尽発光光が検出されるようにして、この検出によって取得される画像データのＳ／Ｎを向上させる。
【００８１】
消去光波長変更部８２は、上記認識情報信号Ｇが示す情報に基づいて、消去光の照射により放射線像変換パネルにカブリが発生しないように、消去部４５から照射される消去光の波長を変更し、上記放射線像変換パネルを利用した次回の放射線像の取得の際に画像データに混入するノイズの量を低減させる。
【００８２】
消去光パワー変更部８２は、消去手段から照射される消去光のパワーが残存放射線エネルギの消去に必要な最小限のパワーとなるように設定し、消去光を照射する際のエネルギの無駄な消費を抑制する。
【００８３】
なお、上記実施の形態においては、線状の励起光の照射により放射線像変換パネルから発生した輝尽発光光をラインセンサで検出するいわゆるラインビーム方式を採用した装置の例を示したが、上記発明は、ポリゴンスキャナ等により主走査方向へ点状の励起光を走査する励起光照射部と、この励起光の走査を受けて放射線像変換パネルから時系列的に発生した輝尽発光光を集光する集光ガイド、およびこの集光ガイドによって集光された輝尽発光光を受光し光電変換するフォトマルチプライヤ等からなる検出ユニットとを備え、放射線像変換パネルから発生した輝尽発光光を検出するいわゆるポイントスキャン方式を採用した装置等にも適用することができる。
【図面の簡単な説明】
【図１】本発明の実施の形態による放射線像読取装置の主要部の概略構成を示す斜視図
【図２】読取ユニット等を示す拡大側面図
【符号の説明】
１０    放射線像変換パネル
２０    励起光照射部
３０    検出ユニット
３１    結像レンズ
３２    ラインセンサ
３３    励起光カットフィルタ
４０    読取ユニット
４５    消去部
５０    搬送部
５５    バーコードリーダ
６０    補正部
６２    フィルタ配置部
６４    光学系配置部
６６    間隔変更部
５８    感度変更部
７０    励起光パワー変更部
７２    移動速度変更部
７４    励起光光源選択部
７６    受光部選択部
７８    移動距離変更部
８０    励起光波長変更手段
８２    消去光波長変更部
８４    消去光パワー変更部
１００    放射線像読取装置
【図１】
2004198787.tif 000003
【図２】
2004198787.tif 000004